(57)【要約】【課題】握力の弱い人でも容易に使用することができるとともに、適宜の場所に固定することのできる手すりを提供する。【解決手段】下端が床面Ｆに当接し、上端が天井Ｃに当接して、垂直方向に立設される突っ張り型の棒材２と、棒材２に連結される手すり部材４とを有し、手すり部材４は、棒材２の側方へ長手方向が伸びた水平面部１１を備えている。【選択図】図１
0003137494.tif 000002
【実用新案登録請求の範囲】
【請求項１】
下端が床面に当接し、上端が天井に当接して、垂直方向に立設される突っ張り型の棒材と、
前記棒材に連結される手すり部材とを有し、
前記手すり部材は、前記棒材の側方へ長手方向が伸びた水平面部を備えていることを特徴とする手すり。
【請求項２】
前記水平面部は、長手方向の中間が幅方向内側に凹んでいることを特徴とする請求項１に記載の手すり。
【請求項３】
前記凹みは、前記水平面部の両側に形成されていることを特徴とする請求項２に記載の手すり。
【請求項４】
前記水平面部の長手方向の両端は、外側に膨出する円弧状を呈し、
前記凹みは、前記円弧に連続した湾曲状を呈していることを特徴とする請求項２又は３に記載の手すり。
【請求項５】
前記手すり部材は、前記棒材に着脱自在に連結されていることを特徴とする請求項１〜４のいずれか１つに記載の手すり。
【請求項６】
前記水平面部は、長手方向の軸線に関して線対称の形状を呈していることを特徴とする請求項１〜５のいずれか１つに記載の手すり。
【考案の詳細な説明】
【技術分野】
【０００１】
本考案は、手すりに関するものである。
【背景技術】
【０００２】
従来より、ベッドのある寝室や便所など着座した状態から立ち上がる動作が行われる屋内の場所に、円形断面を有し、手で握って使用する手すり棒が設置されている。
【考案の開示】
【考案が解決しようとする課題】
【０００３】
しかしながら、前記手すり棒では、高齢者や身障者など握力の弱い人が使用する場合には、身体を十分に支えきれないという問題がある。また、握力の弱い人が手すり棒の上に肘をついて、手すり棒に自重をかける場合には、手すり棒が円形断面を有していることで、使用者は痛みを感じることになる。また、手すり棒が、家屋の壁や柱などに固定されるものである場合には、手すり棒の取り付け場所が制限される。
【０００４】
本考案は、かかる点に鑑みてなされたものであり、その目的とするところは、握力の弱い人でも容易に使用することができるとともに、適宜の場所に固定することのできる手すりを提供することにある。
【課題を解決するための手段】
【０００５】
上記の課題を解決するために本考案の手すりは、次に示す構成を有している。
【０００６】
第１の考案の手すりは、下端が床面に当接し、上端が天井に当接して、垂直方向に立設される突っ張り型の棒材と、前記棒材に連結される手すり部材とを有し、前記手すり部材は、前記棒材の側方へ長手方向が伸びた水平面部を備えていることを特徴とする。
【０００７】
この構成によれば、前記水平面部を備えた前記手すり部材が前記棒材に連結されていることで、前記手すり部材は、前記棒材によって支持された状態となっている。これにより、前記水平面部が使用者の胴体を支える部分として使用することができる。また、前記水平面部が平面状を呈していることから、使用者は、水平面部上に胴体を載せた際に痛みを感じない。これにより、握力の弱い人でも容易に手すりを使用することが出来る。
【０００８】
また、前記棒材が突っ張り型の棒材であることから、手すりは適宜の場所に固定され得る。
【０００９】
また、前記水平面部は、前記棒材の側方へ長手方向が伸びていることから、水平面部の幅方向の一方側を使用者が座る家具や器具に向かい合わせた状態で、棒材と平面部とが前記家具等の前で左右に並ぶように手すりを配置することができる。これにより、水平面部の長手方向の全体が使用者の胴体を支える部分として有効に使用できるようになるとともに、使用者が、水平面部上に肘を置いたり胴体に載せる際に、棒材は支障物にはならない。
【００１０】
第２の考案では、第１の考案において、前記水平面部は、長手方向の中間が幅方向内側に凹んでいることを特徴とする。
【００１１】
この構成によれば、前記水平面部の凹みが前記家具等の反対側に配置された場合には、使用者は、胴体を水平面部上に載せる際に前記凹みを掴むことで手が滑ることが防止される。
【００１２】
第３の考案では、第２の考案において、前記凹みは、前記水平面部の両側に形成されていることを特徴とする。
【００１３】
この構成によれば、水平面部を棒材の左右いずれの側に配置しても、前記座部の反対側に前記水平面部の凹みが位置するようになる。これにより、手すりの設置場所の自由度が増える。
【００１４】
第４の考案では、第２又は３の考案において、前記水平面部の長手方向の一端及び他端は、外側に膨出する円弧状を呈し、前記水平面部の側壁は、前記円弧に連続した湾曲状を呈していることを特徴とする。
【００１５】
この構成によれば、前記水平面部の側壁はその全体が滑らかに湾曲したものとなるため、使用者は、前記水平面部の凹みを掴む際に痛みを感ぜず、また前記水平面部の側部に使用者の掴みやすい部分が存在するようになる。
【００１６】
第５の考案では、第１〜４のいずれか１つの考案において、前記手すり部材は、前記棒材に着脱自在に連結されていることを特徴とする。
【００１７】
この構成によれば、前記手すり部材の高さを調整することができる。これにより、様々な体格の者が手すりを使用することができる。
【００１８】
第６の考案では、第１〜５のいずれか１つの考案において、前記水平面部は、長手方向の軸線に関して線対称の形状を呈していることを特徴とする。
【００１９】
この構成によれば、前記水平面部の支持点を前記軸線上に配置した場合には、水平面部安定して支持される。
【考案の効果】
【００２０】
本考案によれば、前記水平面部が使用者の胴体を支える部分として使用することができるとともに、使用者は前記水平面部上に胴体を載せた際に痛みを感じない。これにより、握力の弱い人でも容易に手すりを使用することが出来る。また、前記棒材が突っ張り型の棒材であることから、手すりは適宜の場所に固定され得る。
【考案を実施するための最良の形態】
【００２１】
以下、本考案の第１実施形態を図１〜２０に基づいて詳細に説明する。尚、以下の好ましい実施形態の説明は、本質的に例示に過ぎず、本考案、その適用物或いはその用途を制限することを意図するものではない。
【００２２】
手すり１は、図１に示すように、棒材２と、手すり部材３と、手すり部材４とを有している。まず棒材２について図２〜１３を参照して説明する。
【００２３】
棒材２は、垂直方向に立設されるものであって、下部パイプ１０、上部パイプ２０、下部ホルダー３０、上部ホルダー４０、回動レバー５０、および引張スプリング６０で構成されている。
【００２４】
大径下部パイプ１０は、下端である土台部１２が床面に当接する。小径上部パイプ２０は、下部パイプ１０よりも小径であり、その下端部が下部パイプ１０の上端部に挿入され、上端が天井Ｃに当接する。
【００２５】
下部ホルダー３０は、下部パイプ１０の上端部に嵌合してビス３３で固定され、後端部の左右両側に、水平軸３１を中心に回転する一対のローラー３２を軸支している。上部ホルダー４０は、上部パイプ２０の下端部に嵌合し、その後端部に横軸４１を有する。
【００２６】
母線方向に割れ目４３を設けた円筒状の上部ホルダー４０には、割れ目４３の両側に放射方向の締付片４４ａ，４４ｂが対向させて突設されており、両締付片４４ａ，４４ｂの上部には両者を貫通する軸受孔４５が設けられ、また軸受孔４５より下側の締付片４４ａ，４４ｂの両外面は、後方に向かって狭くなり、下に向かって広くなるテーパー面４６ａ，４６ｂが設けられている。
【００２７】
回動レバー５０は、レバー本体５１とカム板部６２とで構成される。レバー本体５１は、下に凹の逆溝形で、前部には平行する内側壁５７ａ，５７ｂが設けられ、また前端溝底部には切欠き５８が設けられている。そしてレバー本体５１は、上部ホルダー４０の後端部の締付片４４ａ，４４ｂを挟んで外側から嵌められ、横軸４１を介してその前端部が軸受孔４５に軸支された長尺状である。カム板部５２は、レバー本体５１のほぼ前半部の左右両側下端に外に拡がる段部５８を介して一体設され、下端面を、円弧状でローラー３２の上面に当接するカム面５３としている。カム面５３の後方に隣接して、レバー本体５１に、ローラー３２が進入するストッパー凹部５４を形成している。
【００２８】
また、上部パイプ２０の上端部には、上端面が天井Ｃに当接する平面十字状の支持板２１が設けられている。
【００２９】
次に手すり部材３，４について図１を参照して説明する。
【００３０】
手すり部材３は、一端４０ａが下部パイプ１０に連結された水平フレーム４０と、該水平フレーム４０の下方で一端４１ａが下部パイプ１０に連結された水平フレーム４１と、水平フレーム４０，４１の他端４０ｂ，４１ｂ同士を繋ぐ垂直フレーム４２とを有し、水平フレーム４０，４１及び垂直フレーム４２は、断面が円形に形成されている。
【００３１】
手すり部材４は、水平面部１１と、該水平面部１１を支持する支持部１２とを有している。
【００３２】
支持部１２は、一端１８ａが下部パイプ１０に連結された水平軸部１８、該水平軸部１８よりも下方で一端１９ａが下部パイプ１０に連結された水平軸部１９、及び水平軸部１８と水平軸部１９とを上下に繋ぐ垂直壁２８から構成されている。
【００３３】
水平軸部１８の長さ寸法は、水平軸部１９の長さ寸法よりも長くなっている。また、水平軸部１８の上端には、上方に延びる突起１８ｃが形成され、その上端に水平面部１１の下面が一体に接合されている。
【００３４】
垂直壁２８における棒材２側の端部２８ａは、水平軸部１８，１９の中間を繋ぐように上下方向に延びており、下部パイプ１０との間に隙間２９が存在している。また、垂直壁２８における棒材２反対側の端部２８ｂは、水平軸部１８，１９における棒材２反対側の端部１８ｂ，１９ｂを繋ぐように上下方向に延びて、その中間が棒材２側に凹む湾曲状を呈している。この凹みは、人間の太腿周りに対応した大きさに形成されている。
【００３５】
水平面部１１は、図１５に示すように、棒材２の側方へ長手方向が伸びている。また、水平面部１１の両方の側壁１１ｃは、長手方向の中間が内側に凹んでいる。また、水平面部１１の長手方向の両端１１ａ，１１ｂは外側に膨出する円弧状を呈し、両方の側壁１１ｃは端部１１ａ，１１ｂの円弧に連続した湾曲状を呈している。また、水平面部１１は、長手方向の軸線Ｇに関して線対称の形状を呈しており、軸線Ｇ上で突起１８ｃ（図１参照）に接合されている。
【００３６】
図１６，１７は、水平軸部１８を下部パイプ１０に繋ぐジョイント９を示している。
【００３７】
ジョイント９は、下部パイプ１０の中間部分が挿入される筒部２２と、該筒部２２の周壁から外側に突出するように形成され、水平軸部１８の一端１８ａが挿入される筒部２３を有している。ジョイント９は、筒部２２における筒部２３反対側の半割部を構成する分割体２４と、筒部２３と筒部２２における筒部２３側の半割部とを構成する分割体２５とによって構成されたものであって、分割体２４，２５は、それぞれ半割開口側の縁にボルト孔２６を有するフランジ２７が形成され、フランジ２７同士が重ね合わされた状態でボルト孔２６に通したボルト２８にナット２９が締結することで連結されている。このジョイント９によれば、ボルト２８とナット２９との締結を解除して分割体２４，２５を分離することで水平軸部１８と下部パイプ１０との連結を解除できるため、水平軸部１８は下部パイプ１０に対して着脱自在に連結されたものとなっている。なお、図１に示す水平軸部１９や水平フレーム４０，４１を下部パイプ１０に繋ぐジョイント１３，１４，１５も、ジョイント９と同様の構成を有しており、ジョイント１３，１４，１５では筒部２３に対応する筒部に水平軸部１９や水平フレーム４０，４１の端部１９ａ，４０ａ，４１ａが挿入されるようになっている。なお、ジョイント９，１３のフランジ２７（図１６，１７参照）の重ね合わせ位置を下部パイプ１０の周方向に変更することで、水平軸部１８，１９が延びる方向を変更させることができ、これに伴い、水平面部１１の向きも変わってくる。よって、手すり１では前記フランジ２７の重ね合わせ位置を変更することで、水平面部１１の向きを調整することができるようになっている。また、図１に示すように、手すり部材３の水平フレーム４０は水平軸部１８と水平軸部１９との間で下部パイプ１０に連結され、水平フレーム４１は水平軸部１８よりも下方で下部パイプ１０に連結されており、下部パイプ１０と垂直壁２８との間に隙間２９が存在することで、ジョイント１４の筒部に下部パイプ１０を通すことが可能になっている。
【００３８】
次に手すり１の設置方法について説明する。なお以下では、図１８，１９に示すようにベッドＫの前側に手すり１を設置する場合について説明する。
【００３９】
まず、ベッドＫの前側における床Ｆに下部パイプ１０の下端を垂直に位置させる。この際、上部パイプ２０を下部パイプ１０から手で引き出し、支持板２１を天井Ｃに接触させる。このとき、上部ホルダー４０の下面は下部ホルダー３０に接触している。
【００４０】
回動レバー５０をやや下方向に回動させると、レバー本体５１の内側壁５７ａ，５７ｂがテーパー面４６ａ，４６ｂに接触して、締付片４４ａ，４４ｂを接近させ割れ目４３を小さくし、上部ホルダー４０に縮径の外力を与え、上部パイプ２０を締付ける。
【００４１】
この状態から、回動レバー５０を更に下方向に回動する。これにより、カム面５３がローラー３２上に載り、ローラー３２を回転させながら前方に移動するが、当該カム面５３は、横軸４１からの半径が後方に向かって徐々に大きく形成されているので、上部ホルダー４０と共に上部パイプ２０が上昇する。これにより、上部パイプ２０の上端は、天井Ｃに強く圧接し、棒材２は天井Ｃと床Ｆとの間に突っ張った状態で強固に取り付けられている。
【００４２】
なお、回動レバー５０を回動し切った状態では、ローラー３２がカム面５３のストッパー凹部５４に進入するので、当該ローラー３２はその位置で停止する。従って、回動ストッパーは、その状態を維持することができ、よって、当該棒材２は天井Ｃと床Ｆとの間に突っ張った姿勢で強固に固定される。
【００４３】
そして、水平軸部１８，１９及び水平フレーム４０，４１をジョイント９、１３，１４，１５を用いて下部パイプ１０に連結する。この結果、手すり部材３，４が棒材２に取り付けられ、手すり１が組み立てられる。この際には、図１９に示すように、棒材２と手すり部材３，４とが、手すり部材３，棒材２，手すり部材４の順にベッドＫの前で並ぶように、手すり部材３，４を棒材２に取り付ける。さらに手すり部材４については、水平面部１１の一方の側壁１１ｃとベッドＫの側縁Ｍとが向かい合った状態で、水平面部１１の軸線ＧがベッドＫの側縁Ｍに対して３０度の鋭角で傾斜するように、水平面部１１の向きを調整する（具体的にはジョイント９，１３のフランジ２７の重ね合わせ位置を調整する）。この結果、水平面部１１とベッドＫとの間には、棒材２から離れるに従って幅が大きくなる隙間１６が生じている。
【００４４】
次に手すり１の使用方法について図２０を用いて説明する。
【００４５】
まず（ａ）に示すように、使用者Ｐは、ベッドＫに横たわった状態で片方の手で手すり部材３を握る。次に（ｂ）に示すように、使用者Ｐは、身体の向きを棒材２側に向けた状態で他方の手で下部パイプ１０を握る。次に（ｃ）に示すように、使用者Ｐは、ベッドＫに肘を付いて身体を起こす。次に（ｄ）に示すように、使用者Ｐは、ベッドＫを支えにして肘を伸ばすことでベッドＫの上に腰掛ける。次に（ｅ）に示すように、使用者Ｐは、水平面部１１のベッドＫ反対側の側壁１１ｃの凹みを両手で掴んだ状態で、肘を水平面部１１上に置く。この際には、使用者Ｐは、垂直壁２８における端部２８ｂの凹み下方に太腿を入れる。次に（ｆ）に示すように、使用者Ｐは、凹みを掴んだ両手で身体を引っ張るように肘を曲げて水平面部１１上に胴体を載せる。次に（ｇ）に示すように、使用者Ｐは、水平面部１１を支えにして肘を延ばし立ち上がる。そして、この後、使用者Ｐは、隙間１６（図１９参照）を通ってベッドＫから離れる。
【００４６】
本実施形態における手すり１によれば、水平面部１１を備えた手すり部材４が棒材２に連結されていることで、手すり部材４は棒材２によって支持された状態となっている。これにより、水平面部１１を使用者Ｐの胴体を支える部分として使用することができる。そして、水平面部１１が平面状を呈していることから、使用者Ｐは、水平面部１１上に胴体を載せた際に痛みを感じない。これにより、握力の弱い人でも容易に手すり１を使用することが出来る。
【００４７】
また、棒材２が突っ張り型の棒材であることから、手すり１は適宜の場所に固定され得る。
【００４８】
また、図１５に示したように、水平面部１１は棒材２の側方へ長手方向が伸びていることから、図１９に示すごとく、水平壁部１１の一方の側壁１１ｃをベッドＫの側縁Ｍに向かい合わせた状態で、棒材２と水平面部１１とがベッドＫの前で左右に並ぶように手すり１を配置することができる。これにより、図２０の（ｅ）や（ｆ）のように、水平面部１１の長手方向の全体が胴体を支える部分として有効に使用できるようになるとともに、使用者Ｐが、水平面部１１上に肘を置いたり胴体に載せる際に、棒材２は支障物にはならない。
【００４９】
また、水平面部１１が平面状を呈していることから、使用者Ｐは、水平面部１１上に胴体を載せた際に痛みを感じない。なお、手すり部材３のフレーム４０，４１，４２は断面が丸形を呈しているが、図２０の（ａ），（ｂ），（ｃ）のように使用者Ｐが手すり部材３を握る際には、手すり部材３は補助的に使用されているに過ぎず、使用者Ｐの胴体は、肘を付いたベッドＫによって支えられている。これにより、使用者Ｐが手すり部材３を使用することで痛みを感じることはない。
【００５０】
また、図２０の（ｆ）のように胴体を水平面部上に載せる際には、使用者Ｐは側壁１１ｃの凹みを掴むことで手が滑らない。
【００５１】
また、水平面部１１の両側の側壁１１ｃに凹みが形成されていることで、水平面部１１を棒材２の左右いずれの側に配置しても、水平面部１１ではベッドの反対側に前記凹みのある側壁１１ｃが位置するようになる。これにより、手すり１の設置場所の自由度が増える。
【００５２】
また、水平面部１１の側壁１１ｃが、端部１１ｂの円弧に連続した湾曲状を呈していることから、水平面部１１の側壁１１ｃはその全体が滑らかに湾曲したものとなっている。これにより、使用者Ｐは、水平面部１１の側壁１１ｃの凹みを掴む際に痛みを感ぜず、また側壁１１ｃに使用者Ｐの掴みやすい部分が存在するようになる。
【００５３】
また、水平軸部１８，１９や水平フレーム４０，４１がジョイント９，１３，１４，１５により着脱自在に棒材２に連結されていることから、手すり部材３，４の高さを調整することができる。これにより、様々な体格の者が、手すり１を使用することができる。
【００５４】
また、水平面部１１が長手方向の軸線Ｇに関して線対称の形状を呈し、その軸線Ｇ上で水平面部１１が突起１８に接合されていることから、水平面部１１は支持部１２により安定して支持される。
【００５５】
また、ジョイント９，１３におけるフランジ２７の重ね合わせ位置を変更することで、水平面部１１の軸線Ｇの延伸方向を変更することができるため、水平面部１１の軸線ＧがベッドＫの縁に対して傾斜する角度を調整することができる。そして図１９のごとく前記傾斜角度を鋭角にした場合には、水平面部１１を使用者Ｐが容易に胴体を載せることが出来る範囲に配置した状態で、ベッドＫと水平面部１１との間に隙間１６を生じさせることができる。これにより、使用者Ｐは、水平面部１１を利用して立ち上がった後に、隙間１６を通ってベッドＫから離れることができるようになる。
【００５６】
また、垂直壁２８の端部２８ｂが、人間の太腿周りに対応した大きさに凹む湾曲状を呈していることから、使用者Ｐは、手すり１を使用する際に前記凹みの下方に太腿を入れることができる。これにより、使用者Ｐは胴体を水平面部１１近傍に寄せることが出来るので、使用者Ｐは、水平面部１１上に肘を置いたり胴体に載せることが容易になる。
【００５７】
また、棒材２は、下部パイプ１０、上部パイプ２０、下部ホルダー３０、上部ホルダー４０、回動レバー５０で構成され、これらの部材はいずれも簡易な構成であるので、全体構造が簡易である。従って、棒材２の取り付けが極めて容易である。
【００５８】
また、上部パイプ２０を手で引き出して支持板に天井Ｃに当て、回動レバー５０を下方向に回動するのみで、天井Ｃと床Ｆとの間に突っ張らせて固定するので、棒材２を強固に取り付けることができる。
【００５９】
また、上部パイプ２０の上端部に、上端面が天井Ｃに当接する平面十字状の支持板２１を設けていることから、天井Ｃに対する棒材２の組み付きを安定させて、より強固に取り付けることができる。
【００６０】
また、レバー本体５１のカム部材の後端部に対応する部分に、左右方向に支持部材を設け、回動レバー５０を回動した際にカム部材５２に作用する力によって、該カム部材５２およびレバー本体５１が左右方向に変形してしまうことが防止される。なお、回動レバー５０を下向きから水平位置に戻したとき、上部ホルダー４０が確実に下部ホルダー３０に接触するまで下降させるために、両者間に引張スプリングを張架することもある
本考案は、上述した実施形態のみに限定されるものではなく、実用新案登録請求の範囲内において、種々改変することができる。
【００６１】
例えば、水平面部１１では、片方の側壁１１ｃのみが内側に凹んだ形状を呈していてもよい。この場合には、前記湾曲状を呈する側壁１１ｃがベッドＫの反対側に位置するように、手すり部材４は下部パイプ１０に取り付けられる。このようにしても、ベッドＫに座った使用者Ｐは、前記側壁１１ｃの凹みを掴む部分として使用することができる。
【００６２】
また、手すり１が配置される空間は、天井があって、椅子や便座等の家具や器具が配置されることで座った状態から立ち上がる動作が行われる空間に配置される。この場合には、椅子などの前で棒材２や手すり部材３，４が図１９のごとく横に並ぶように、手すり１は設置される。
【００６３】
また、手すり部材３が棒材２に取り付けられていない状態であっても、本考案の目的は達成され得る。すなわち、手すり部材４のみが棒材２に取り付けられた手すり１が、椅子や便座の前に設置されている場合には、握力の弱い人は、椅子や便座に座った状態から図２０に示す（ｄ）〜（ｇ）と同様の動作を行うことで容易に立ち上がることができる。
【図面の簡単な説明】
【００６４】
【図１】本考案の実施形態に係る手すりを示す側面図である。
【図２】棒材の取り付け方を示す側面図である。
【図３】棒材の回動レバー近傍部分を示す拡大図である。
【図４】図３のＡ−Ａ線断面図である。
【図５】回動レバーを示す側面図である。
【図６】（ａ）は図５のＢ−Ｂ線断面図、（ｂ）はＣ−Ｃ線断面図である。
【図７】下部ホルダーを示す側面図である。
【図８】図７に示す下部ホルダーの平面図である。
【図９】上部ホルダーを示す側面図である。
【図１０】図８に示す下部ホルダーの平面図である。
【図１１】レバーを上げた状態における図９のＺ−Ｚ断面端図である。
【図１２】レバーを若干傾けた状態における図９のＺ−Ｚ断面端図である。
【図１３】棒材の動作を示す要部拡大側面図である。
【図１４】棒材の概略平面図である。
【図１５】水平面部の拡大平面図である。
【図１６】水平軸部を下部パイプに連結するジョイントを示す斜視図である。
【図１７】図１６に示すジョイントの分解平面図である。
【図１８】ベッドの前に手すりが設置された状態を示す斜視図である。
【図１９】ベッドの前に手すりが設置された状態を示す平面図である。
【図２０】手すりの使用方法を示す図である。
【符号の説明】
【００６５】
１      手すり、
２      棒材、 
４      手すり部材、 
１１      水平面部、 
１１ａ    一端、 
１１ｂ    他端、 
１１ｃ    側壁、 
Ｇ        軸線。
【図１】
0003137494.tif 000003
【図２】
0003137494.tif 000004
【図３】
0003137494.tif 000005
【図４】
0003137494.tif 000006
【図５】
0003137494.tif 000007
【図６】
0003137494.tif 000008
【図７】
0003137494.tif 000009
【図８】
0003137494.tif 000010
【図９】
0003137494.tif 000011
【図１０】
0003137494.tif 000012
【図１１】
0003137494.tif 000013
【図１２】
0003137494.tif 000014
【図１３】
0003137494.tif 000015
【図１４】
0003137494.tif 000016
【図１５】
0003137494.tif 000017
【図１６】
0003137494.tif 000018
【図１７】
0003137494.tif 000019
【図１８】
0003137494.tif 000020
【図１９】
0003137494.tif 000021
【図２０】
0003137494.tif 000022